(57)【特許請求の範囲】
【請求項１】
基体と；
この基体に立設した複数個のＬＥＤランプと；
これらＬＥＤランプに対向して配設され、中央部のＬＥＤランプからの放射光を中空部内を直進させ光拡散レンズで拡散放出させるとともに周辺部のＬＥＤランプからの放射光を外表面でほぼ直交方向に指向させる略漏斗形状をした制光部材と；
これら基体、複数個のＬＥＤランプおよび制光部材を収容した透光性グローブと；
この透光性グローブ内に導入され上記ＬＥＤランプと接続した給電部材と；
を具備していることを特徴とする標識灯。
【請求項２】
基体と；
この基体に立設した複数個のＬＥＤランプと；
これらＬＥＤランプに対向して配設され、中央部のＬＥＤランプからの直進放射光を光拡散レンズで拡散せるとともに周辺部のＬＥＤランプからの放射光をほぼ直交方向に指向させる略漏斗形状をなす外表面側に反射面を形成した制光部材と；
これら基体、複数個のＬＥＤランプおよび制光部材を収容した透光性グローブと；
この透光性グローブ内に導入され上記ＬＥＤランプと接続した給電部材と；
を具備していることを特徴とする標識灯。
【請求項３】
基体に複数個のＬＥＤランプが同心円上に所定の間隔を隔てて複数列配設されていることを特徴とする請求項１または２に記載の標識灯。
【請求項４】
制光部材の略漏斗形状部の傾斜した外表面側の縦断面が直線状または湾曲状をなしていることを特徴とする請求項１ないし３のいずれか一に記載の標識灯。
【発明の詳細な説明】
【０００１】
【発明の属する技術分野】
本発明は空港や道路などにおいて交通標識などに用いられる標識灯に関する。
【０００２】
【従来の技術】
空港における滑走路や誘導路などの路幅あるいは道路の路肩位置などを表示するため、路辺に沿い地表面上に設置される標識灯がある。この地上形の標識灯は、路上を走行する航空機や自動車の操縦者や運転者へ、路肩などの存在を知らせる作用をなし、路上を安全に誘導する働きをしている。
【０００３】
そして、この標識灯は灯器からほぼ全面に均等な発光が要求されるのではなく、操縦者や運転者から見える狭い角度範囲に高い光放射が行われるもので、たとえば飛行機の地上形の誘導路灯の配光規格は、図４に示す通りのものである。
【０００４】
そして、従来の地上形の誘導路灯９は図３に示すように、光源にたとえば白熱電球９１が用いられ、上記図４の配光を得るように電球９１の周囲を囲んで外面に凹凸９２を有する円筒状のレンズ９３が設けられている。また、この誘導路灯９は発光色が青色に規定されているので、電球９１およびレンズ９３を収容した外囲器を構成する透光性グローブ９４を着色してフィルターとしている。また、図中９５はカバー部材、９６はソケット台、９７は給電線である。
【０００５】
【発明が解決しようとする課題】
しかし、このような誘導路灯９は、光源に白熱電球９１を用いているため赤色成分が高く青色発光させる場合は、発光効率が悪いとともにその放射光色も好ましいものを得るのが困難となる問題があった。また、電球９１は細いタングステン線を巻回した光源であるため、比較的寿命が短く、また、空港や道路は航空機や車両の通過時に大きい振動や衝撃が加わると早期に断線してしまうという不具合もある。
【０００６】
そこで、本発明者は、配光特性および発光体の寿命を向上する手段についてさらに種々検討し究明した。その結果、高い光放射と発光体の効率および寿命の向上がはかれる電球とは別途のＬＥＤランプ（発光ダイオードランプ）を標識灯へ組み込むことに成功した。
【０００７】
本発明は、ＬＥＤランプ（発光ダイオードランプ）を多数個配設して、その一部を直射光とするとともに、大部分の光を周辺の所望角度範囲内に放射させることによって、発光（配光特性）効率の向上と光源部の長寿命がはかれる標識灯を提供することを目的とする。
【０００８】
【課題を解決するための手段】
本発明の請求項１に記載の標識灯は、基体と、この基体に立設した複数個のＬＥＤランプと、これらＬＥＤランプに対向して配設され、中央部のＬＥＤランプからの放射光を中空部内を直進させ光拡散レンズで拡散放出させるとともに周辺部のＬＥＤランプからの放射光を外表面でほぼ直交方向に指向させる略漏斗形状をした制光部材と、これら基体、複数個のＬＥＤランプおよび制光部材を収容した透光性グローブと、この透光性グローブ内に導入され上記ＬＥＤランプと接続した給電部材とを具備していることを特徴とする。
【０００９】
複数個のＬＥＤランプ（発光ダイオードランプ）を点灯したとき、中央部に在る複数列のＬＥＤランプからの放射光は、制光部材の略漏斗状の中空部を直進し上方の光拡散レンズを通り透光性グローブの上方から拡散して放出される。また、外周部側に在る複数列のＬＥＤランプからの放射光は、制光部材の略漏斗形状の外表面に入射し、直交方向に反射されてグローブの側方から放出される。なお、このとき略漏斗形状の制光部材の周囲には多数のＬＥＤランプが配設してあるので、グローブ側方にある幅をもって全周からほぼ水平方向に集中した光放出がなされる。
【００１０】
また、ＬＥＤランプは白熱電球に比べて長寿命で信頼性が高いとともに自己発熱が小さい。また、ＬＥＤランプは、発光効率の向上や指向性をもたせるため、電極チップをパラボラ形としたり、外囲器の先端をレンズ状としたり、外囲器に反射面を形成するなどのことを行ってもよい。また、ＬＥＤランプは、所望に応じて、赤色、橙色、黄色、緑色や青色などを選ぶことができ、用途によってはフィルターが不要になる。
【００１１】
さらに、本発明の標識灯は、空港の滑走路や誘導路などのほか自動車道路などにおける路幅部分などを表示する地上に設置される標識や表示に適用できる。
【００１２】
本発明の請求項２に記載の標識灯は、基体と、この基体に立設した複数個のＬＥＤランプと、これらＬＥＤランプに対向して配設され、中央部のＬＥＤランプからの直進放射光を光拡散レンズで拡散せるとともに周辺部のＬＥＤランプからの放射光をほぼ直交方向に指向させる略漏斗形状をなす外表面側に反射面を形成した制光部材と、これら基体、複数個のＬＥＤランプおよび制光部材を収容した透光性グローブと、この透光性グローブ内に導入され上記ＬＥＤランプと接続した給電部材とを具備していることを特徴とする。
【００１３】
上記請求項１に記載したと同様な作用を奏する。
【００１４】
本発明の請求項３に記載の標識灯は、基体に複数個のＬＥＤランプが同心円上に所定の間隔を隔てて複数列配設されていることを特徴とする。
【００１５】
ＬＥＤランプを同心円上に複数列規則的に整列配設させたので、透光性グローブの全周から所定角度内に集中した光放射をすることができる。
【００１８】
本発明の請求項４に記載の標識灯は、制光部材の略漏斗形状部の傾斜した外表面側の縦断面が直線状または湾曲状をなしていることを特徴とする。
【００１９】
制光部材の略漏斗形状部の外表面の傾斜した縦断面が、複数列のＬＥＤランプからの光入射角に合わせ直線状あるいは放物面状などの湾曲面状とすることにより、高精度の光放射が行われる。
【００２０】
なお、一つの制光部材において、複数の直線状部が多角形状にあっても、異なる湾曲面を組み合わせても、湾曲面と平面とが混在していても差支えない。
【００２１】
【発明の実施の形態】
以下、本発明の実施の形態を図面を参照して説明する。図はたとえば飛行場における誘導路の路幅を示す地上形の標識灯（誘導路灯）Ａを示し、図１は一部断面正面図、図２（ａ）は図１中の制光部材を拡大して示す一部断面正面図、同（ｂ）は配線基板の上面図である。
【００２２】
図中１は基体、ここではプリント配線基板で、基板１の表面側には青色発光する複数個のＬＥＤランプ（発光ダイオードランプ）２，２，…が頂部の光放射部を上方に向け立設した状態で、かつ、同心円上に所定の間隔を隔てて複数列配設されている。なお、このＬＥＤランプ２，２，…は、抵抗を介し直列または並列して接続してある。
【００２３】
３はこのＬＥＤランプ２，２，…に対向して配設された合成樹脂材料や金属板で略漏斗形状に成形した筒状の制光部材で、縦断面が湾曲状や略直線状でもって略漏斗状に形成された外表面３１には成形材料の生地のままや被膜による光反射面（図示しない。）が形成してある。
そして、基板１上の中央部の複数列のＬＥＤランプ２，２，…の頂部は制光部材３の中空部３２に臨んでいる。また、基板１上の外周囲部側の複数列のＬＥＤランプ２，２，…の頂部は制光部材３外表面３１に臨んでいる。なお、３３は基体部である。
また、略漏斗形状をなす制光部材３の開口部には、図２（ａ）に拡大して示すような光拡散用のレンズ８が設けられている。
【００２４】
また、４はホルダを兼ねたカバー部材で、開口部には上記配線基板１、制光部材３を固定しているとともにこれらを覆う透光性のガラスまたは合成樹脂製のグローブ５を防水構造でもって固着してある。なお、図中６は給電部材を構成する給電線である。
【００２５】
そして、この地上形の標識灯（誘導路灯）Ａを設置して電源から給電線６を介して給電すると、複数個のＬＥＤランプ２，２，…は点灯し、中央部に在る複数列のＬＥＤランプ２，２，…からの放射光は、制光部材３の略漏斗形状の中空部３２を通り直進して光拡散用のレンズ８で拡散されグローブ５の上方から放出７Ｄされる。
【００２６】
また、外周部側に在る複数列のＬＥＤランプ２，２，…は、これらＬＥＤランプ２，２，…の光放射方向と対応して標識灯軸と直交する方向に反射ないしは屈折する略漏斗形状の外表面３１に指向しているのでこの外表面３１に入射し、略直角方向に反射されてグローブ５の側方から放出７Ｒされる。なお、このとき略漏斗形状の制光部材３の周囲には多数のＬＥＤランプ２，２，…が配設してあるので、グロー部５側方に所定のある幅をもって全周から放出される。
【００２７】
しかも、この標識灯（誘導路灯）Ａのグローブ５からの放射光７Ｄ，７Ｒは、光拡散用のレンズ８を設けたことにより上方７Ｄ側からは少なく、側方７Ｒからは略水平方向に集中して大量に放出される結果、操縦者が視認し易い図３に示す所望の配光が容易に得られる。
【００２８】
また、この場合は青色のＬＥＤランプ２，２，…であるので、特にフィルターを必要とせず、また、ＬＥＤランプ２，２，…は低消費電力、長寿命であり交換などの手間や電力費、設備費を安価に抑えることができる。
【００３１】
本発明は、上述したように制光部材３の上方側の開口部に光拡散用のレンズ８を設けることにより、透光性グローブ５の上方からの放出光量やその分布を制御することができるとともに略水平方向に集中して光放出がなされる結果、所望の配光が容易に得られる。
【００３２】
なお、本発明は上記実施の形態に限定されない。たとえば標識灯は上記実施の形態に示した構造や用途に限らず、他の構造や用途のものであってもよい。
【００３３】
【発明の効果】
請求項１および２の発明によれば、操縦者や運転者が視認し易い所望の配光が容易に得られる。また、ＬＥＤランプは低消費電力、長寿命であり交換などの手間や電力費、設備費を安価に抑えることができるなど、種々の利点を有する標識灯を提供することができる。
【００３４】
また、請求項３の発明によれば、グローブの全周から所定角度内に集中した光放射をすることができる。
【００３６】
さらに、請求項４の発明によれば、制光部材の略漏斗形状部の外表面を、複数列のＬＥＤランプからの光入射角に合わせ略直線状あるいは放物線状などの湾曲状とすることにより、高精度の光放射を行わせることができる。
【図面の簡単な説明】
【図１】  本発明の標識灯（誘導路灯）の実施の形態を示す一部断面正面図である。
【図２】  （ａ）図は本発明の制光部材の実施の形態を示す一部断面正面図、（ｂ）図はＬＥＤランプを配設した配線基板の上面図である。
【図３】  従来の標識灯を示す一部断面正面図である。
【図４】  誘導路灯の配光規格特性を示すグラフである。
【符号の説明】
Ａ：標識灯（誘導路灯）
１：基体（配線基板）
２：ＬＥＤランプ（発光ダイオードランプ）
３：制光部材
４：カバー部材
５：透光性グローブ
６：給電部材
【図１】
0003906573.tif 000002
【図２】
0003906573.tif 000003
【図３】
0003906573.tif 000004
【図４】
0003906573.tif 000005